(57)【特許請求の範囲】
【請求項１】
容器内につながる貫通開口を有し容器の口部に固定保持される本体部分と、前記容器内の内容物を外界へ排出する注出孔を有し前記本体部分の貫通開口を該注出孔を残して閉塞するディスク状の隔壁とを備え、
前記隔壁に、前記注出孔の縁部から本体部分に向けて切り離し可能に伸延し、詰替えるべき内容物を収容した容器に装着された注出ノズルのノズル部が前記貫通開口に差し込まれることにより切り離されることで該隔壁を前記注出孔の周りで複数箇所に分断する薄肉弱化部を設けたことを特徴とする容器の中栓。
【請求項２】
前記薄肉弱化部が、間隔をおいて設けられた放射状配列になる、請求項１記載の容器の中栓。
【請求項３】
前記隔壁が、初期姿勢への復元を可能とする弾性部材からなる、請求項１又は２記載の容器の中栓。
【請求項４】
前記中栓は、前記貫通開口を覆い隠し該貫通開口を取り囲む縁部において引き剥がし可能に貼着させる密封シートを備える、請求項１〜３の何れかに記載の容器の中栓。
【発明の詳細な説明】
【技術分野】
【０００１】
本発明は、内容物を注出するのに使われる容器の中栓に関するものであり、該中栓を取り外す等の必要なしに効率的に内容物を詰替えようとするものである。
【背景技術】
【０００２】
シャンプーやリンス、整髪剤、化粧料、調味料等を入れるハンディタイプの容器には、内容物の適量取り出しを可能とする観点から容器の口部には、適切なサイズに設定された開孔を有する中栓が装着されている。
【０００３】
かかる中栓は、ベース部に設けられた周壁とこの周壁の内側に位置する内筒との間で下向きに開放された環状溝部を形成して該環状溝部を容器の口部の先端部に嵌合させることによって固定保持されているのが普通であるところ、内容物の詰め替えを行なうには、該中栓を一旦取り外さなければならない面倒な作業が必要であり使い勝手がよいとはいえないのが現状であった（例えば、特許文献１参照）。
【先行技術文献】
【特許文献】
【０００４】
【特許文献１】特開平１−６１０４６号公報
【発明の概要】
【発明が解決しようとする課題】
【０００５】
本発明の課題は、内容物の詰替えに際して取り外しが不要であり、かつ、注出開孔を所定の開口サイズに維持できる容器の中栓を提案するところにある。
【課題を解決するための手段】
【０００６】
本発明は、容器内につながる貫通開口を有し容器の口部に固定保持される本体部分と、前記容器内の内容物を外界へ排出する注出孔を有し前記本体部分の貫通開口を該注出孔を残して閉塞するディスク状の隔壁とを備え、
前記隔壁に、前記注出孔の縁部から本体部分に向けて切り離し可能に伸延し、詰替えるべき内容物を収容した容器に装着された注出ノズルのノズル部が前記貫通開口に差し込まれることにより切り離されることで該隔壁を前記注出孔の周りで複数箇所に分断する薄肉弱化部を設けたことを特徴とする容器の中栓である。
【０００７】
前記薄肉弱化部としては、間隔をおいて設けられた放射状配列とするのが好ましく、また、隔壁は、初期姿勢への復元を可能とする弾性部材にて構成するのが望ましい。
【発明の効果】
【０００８】
薄肉弱化部を設けて隔壁を複数箇所で分断することにより中栓の注出孔のサイズを拡大することができるため、拡大された通路による内容物の効率的な移し替えが可能となる。
【０００９】
また、隔壁を初期姿勢への復元を可能とする弾性部材で構成することにより、詰替え後においては注出孔からのみの内容物の注出が可能であり、内容物の適量取り出しが行なえる。
【図面の簡単な説明】
【００１０】
【図１】（ａ）（ｂ）は、本発明にしたがう容器の中栓の実施の形態を示した図であり、（ａ）は平面図であり、（ｂ）は側面を断面で示した図である。
【図２】移し替えるべき内容物を充填した容器を示した図である。
【図３】本発明に従う容器の中栓を用いて内容物の詰替えを行なっている状況を示した図である。
【発明を実施するための形態】
【００１１】
以下、図面を参照して本発明をより具体的に説明する。
図１（ａ）（ｂ）は、本発明にしたがう中栓の実施の形態を容器の口部に取り付けた状態で示した図である。
【００１２】
図における符号１は、内容物の詰替えを行なうべき容器（継続使用容器）である。容器１の頂部には、円筒状の口部１ａが設けられ、その外周には、ねじ部を設けることが可能であって、図示しないキャップをねじ込むことによって容器１を密封状態に保持することができるようになっている。
【００１３】
また、２は、容器1の口部１ａに装着された中栓である。中栓２は、容器内につながる貫通開口ｈを有し、容器1の口部１ａにアンダーカットによって着脱自在に固定保持される本体部分２ａと、容器１の傾倒、振り出しあるいはスクイズ等にて該容器１内の内容物を外界へ排出する注出孔ｈ１を有し前記本体部分２ａの貫通開口ｈを該注出孔ｈ１を残して閉塞する隔壁２ｂからなっている。
【００１４】
中栓２のうち、本体部分２ａは、容器１の口部１ａの内側壁に嵌合する内筒２ａ１と、容器１の口部１ａの外側壁において嵌合する外筒２ａ２と、該内筒２ａ１及び外筒２ａ２を上端部で連結し、その相互間に下向きに開放された環状溝ｍを形成する天面壁２ａ３から構成されている。
【００１５】
また、隔壁２ｂは、貫通開口ｈにおいてその通路を分断するように配置された弾性体（ゴムやエラストマー、合成樹脂等）からなるディスク状の壁体２ｂ１から構成されており、該壁体２ｂ１には注出孔ｈ１の縁部から本体部分２ａに向けて伸延しその周りに間隔をおいて放射状に配列された複数本の線状の薄肉弱化部３が設けられている。
【００１６】
さらに、４は、貫通開口ｈを覆い隠し該貫通開口ｈを取り囲む縁部（本体部分２ａの天面壁２ａ３において引き剥がし可能に貼着される密封シートである。密封シート４としては、一度引き剥がしたら貼着することができないバージンタイプのシートを用いることが可能であり、密封シート４が貼着されているかどうかで不正な開封が行なわれたかどうかを視認することができるようになっている（図１（ａ）には密封シート４の表示は省略してある。）。キャップ（図示せず）の内側に密封用のパッキンを配置しておけば、密封シート４はなくてもかまわない。
【００１７】
図２は、詰替えるべき内容物を充填し上掲図１に示した容器1への詰め替えを行なうための容器であり、図中、５は、容器本体、６は、容器本体５の口部５ａに着脱可能に装着された注出ノズルである。この注出ノズル６は、容器本体５の口部５ａにねじあるいはアンダーカットによって係合させることができるベースキャップ６ａと、このベースキャップ６ａの天面壁６ａ１において起立するノズル部６ｂと、このノズル部６ｂの基部に設けられ、中栓２の天面壁２ａ３に当接する凸部６ｃから構成されている。また、７はノズル部５ｂの先端に一体的に設けられ、手指によりもぎることによって容器本体５を開封する栓体である。
【００１８】
注出ノズル６の外周壁には、そのＡ−Ａ断面を図２に示す如く詰替え時に空気置換経路を形成するための縦溝６ｂ１が設けられ、凸部６ｃには、該縦溝６ｂ１につながる切欠凹所６ｃ１が形成されている。
【００１９】
容器本体５内の内容物を容器１に詰替えるには、まず、栓体７をもぎ取ったのち、ノズル部６を図３に示すように、貫通開口ｈに差し込む。そうすると隔壁２ｂを構成する壁体２ｂ１は、薄肉弱化部３により複数枚の舌片に切り離されて下は向きに倒れ込むこととなり、縦溝６ｂ１、切欠凹所６ｃ１による空気置換のもとでノズル部６ｂを通した内容物の効率的な移し替えが可能となる。
【００２０】
内容物を移し替えたのちノズル部６を貫通開口ｈから引き抜くと各舌片は薄肉弱化部３において切り離されてはいるものの、元の姿勢（水平姿勢）へと復元し容器１の傾倒、振り出しあるいは容器１のスクイズ等により注出孔ｈ１からの内容物の適量注出が行える。
【００２１】
壁体２ｂ１は図示の例では、水平状態にある場合を初期姿勢（元の姿勢）として示したが、該壁体２ｂ１が元の姿勢に復元する際に貫通開口ｈから外側へ突出してしまうことが懸念される場合には、注出孔ｈ１が最も低くなるように傾斜を設けておいてもよく、この点については限定されない。
【００２２】
隔壁２ｂを構成する壁体２ｂ１は、成型性、容器の口部への嵌合性の観点から合成樹脂にて形成することができる。また、、内容物の詰替え後において該壁体２ｂ１を確実に初期姿勢に復元させるためにゴムやエラストマー等の軟質材を用いてもよい。
【産業上の利用可能性】
【００２３】
容器の口部からの取り外しを行なう等の面倒な作業を要することなしに内容物の詰替えを効率的に行える中栓が提供できる。
【符号の説明】
【００２４】
１      容器（継続使用容器）
１ａ    口部
２      中栓
２ａ    本体部分
２ｂ    隔壁
３      薄肉弱化部
４      密封シート
５      容器本体
５ａ    口部
６      注出ノズル
６ａ    ベースキャップ
６ｂ    ノズル部
６ｃ    凸部
７      栓体
【図１】
0005570276.tif 000002
【図２】
0005570276.tif 000003
【図３】
0005570276.tif 000004